(57)【特許請求の範囲】
【請求項１】
利用者の端末と情報提供者のサーバのそれぞれと通信ネットワークを介して接続し、
性格タイプごとの定型文を記録している記録手段と、
上記利用者の性格タイプを記録している性格タイプ管理部と、
上記利用者の電子メールアドレスを記録している配信先記録部と、
上記情報提供者のサーバからキーワードを受信する手段と、
上記性格タイプ管理部に記録されている利用者の性格タイプに対応する定型文を上記記録手段から読み出し、この読み出した定型文に上記キーワードを挿入して電子メールのメッセージ部を作成する手段と、
上記配信先記録部に記録されている利用者の電子メールアドレスを用いて、上記作成したメッセージ部を上記利用者の端末に送信する手段と、
を有してなることを特徴とする情報配信サーバ。
【請求項２】
利用者の性格タイプを分類するための質問を記録している質問記録部と、
上記質問記録部に記録されている質問を利用者の端末に送信する質問送信部と、
上記送信した質問に対する回答を上記利用者の端末から受信する手段と、
性格タイプ管理部に記録される利用者の性格タイプを、上記受信した回答に基づいて特定する性格タイプ判定部と、
をさらに備えた請求項１記載の情報配信サーバ。
【請求項３】
利用者の端末と情報提供者のサーバのそれぞれと通信ネットワークを介して接続し、
性格タイプごとの定型文を記録している記録手段と、
上記利用者の性格タイプを記録している性格タイプ管理部と、
上記利用者の電子メールアドレスを記録している配信先記録部と、を備えた情報配信サーバにより実行される方法であって、
上記情報配信サーバが、上記情報提供者のサーバからキーワードを受信するステップと、
上記情報配信サーバが、上記性格タイプ管理部に記録されている利用者の性格タイプに対応する定型文を上記記録手段から読み出し、この読み出した定型文に上記キーワードを挿入して電子メールのメッセージ部を作成するステップと、
上記情報配信サーバが、上記配信先記録部に記録されている利用者の電子メールアドレスを用いて、上記作成したメッセージ部を上記利用者の端末に送信するステップと、
を有してなることを特徴とする情報配信方法。
【請求項４】
情報配信サーバは、利用者の性格タイプを分類するための質問を記録している質問記録部をさらに備え、
上記情報配信サーバが、上記質問記録部に記録されている質問を利用者の端末に送信するステップと、
上記情報配信サーバが、上記送信した質問に対する回答を上記利用者の端末から受信するステップと、
上記情報配信サーバが、性格タイプ管理部に記録される利用者の性格タイプを、上記受信した回答に基づいて特定するステップと、
をさらに有する請求項３記載の情報配信方法。
【請求項５】
利用者の端末と、情報提供者のサーバと、情報配信サーバとを備えた情報配信システムであって、
上記情報配信サーバは、
上記利用者の端末と情報提供者のサーバのそれぞれと通信ネットワークを介して接続し、
性格タイプごとの定型文を記録している記録手段と、
上記利用者の性格タイプを記録している性格タイプ管理部と、
上記利用者の電子メールアドレスを記録している配信先記録部と、
上記情報提供者のサーバからキーワードを受信する手段と、
上記性格タイプ管理部に記録されている利用者の性格タイプに対応する定型文を上記記録手段から読み出し、この読み出した定型文に上記キーワードを挿入して電子メールのメッセージ部を作成する手段と、
上記配信先記録部に記録されている利用者の電子メールアドレスを用いて、上記作成したメッセージ部を上記利用者の端末に送信する手段と、を有してなることを特徴とする情報配信システム。
【請求項６】
情報配信サーバが、利用者の性格タイプを分類するための質問を記録している質問記録部と、
上記質問記録部に記録されている質問を利用者の端末に送信する質問送信部と、
上記送信した質問に対する回答を上記利用者の端末から受信する手段と、
性格タイプ管理部に記録される利用者の性格タイプを、上記受信した回答に基づいて特定する性格タイプ判定部と、
をさらに備えた請求項５記載の情報配信システム。
【請求項７】
コンピュータを、請求項１または２記載の情報配信サーバとして機能させることを特徴とするコンピュータプログラム。
【発明の詳細な説明】
【０００１】
【発明の属する技術分野】
この発明は、通信ネットワークを介してクライアント端末へ情報を配信する情報配信方法とそのシステム及び装置に係り、詳しくは、利用者の性格タイプを分類することによって、利用者の性格に適応した受け入れ易い形で情報を配信するようにした情報配信方法とそのシステム及び装置に関する。
【０００２】
【従来の技術】
近年、通信ネットワークを介して利用者へのメッセージや広告等といった情報を配信することが日常的頻繁に行なわれている。そして、これら情報の配信方法の一つとして、性別や年齢、住所、趣味等といった所謂外的要素による属性を基に、該当者にだけ情報を配信したりすることが行われている。ところがこのような外的要素による属性を基に情報を配信する方法では、確かに該当者に適応した情報を効率良く配信することは出来るものの、属性が該当する限り何れの性格を有する者であっても同じ様に情報を配信しているため、情報を受け取る者の性格によって受け捉え方に温度差が生じてしまう。したがって、外的要素による属性だけでは、効果的に情報を配信するための工夫の余地を未だ有しているものと言える。
【０００３】
そこで、性格のような所謂内的要素による属性を基に、より効果的に情報を配信するようにした手段が幾つか提案されている。例えば、第一の手段として、商品の選択に適合した心理テストの項目が羅列されたアンケートに応答することにより、顧客の性格や心理状態を把握し、この顧客の性格情報（心理分析データ）に基づいて適合した情報を配信するようにしたものがある（特許文献１参照）。
【０００４】
また、第二の手段として、顧客の生年月日からバイオリズムを計算し、このバイオリズムに基づいて適合した情報を配信するようにしたものがある（特許文献２参照）。
【０００５】
【特許文献１】
特開２００１−３５０９０７号公報
【特許文献２】
特開２００１−３４４５０９号公報
【０００６】
【発明が解決しようとする課題】
しかしながら、このように性格のような内的要素による属性を加味しただけの情報の配信方法では、単に配信する情報の内容（種類）を選択するだけで、配信先である利用者の内的要素を十分に利用したものとはいえない。すなわち、折角性格の相違に基づいて選択された情報であっても、その情報の表現方法が統一されたものであると、やはり情報を受け取る者の性格によって心に残る程度に差が生じてしまい、有効に情報を配信したものとはいえない。
【０００７】
本発明は、上記の事情に基づきなされたもので、その目的とするところは、配信先である利用者の性格を十分に考慮して、情報をより一層効果的に配信するようにした情報配信方法とそのシステム及び装置を提供することにある。
【０００８】
【課題を解決するための手段】
本発明は、基本的に利用者の性格に基づいて情報の配信を決定しようとするものであるが、単に性格のような内的要素による属性に基づいて情報の配信先を選択しようとするものではなく、同じ表現方法であっても性格によって情報の受け捉え方が様々であることに着目し、全ての利用者に対して情報を配信することを前提としてそれぞれの利用者の性格を把握し、これに基づいて適応した受け入れ易い形で情報を表現することにより、効果的に配信するようにしたものである。
【０００９】
すなわち、上述の目的を達成するため、本発明の第一の情報配信方法は、通信ネットワークを介してクライアント端末へ情報を配信する方法であって、クライアント端末から所定の性格分類法によって特定された性格タイプを受付けて記録し、上記記録された性格タイプに基づいて、所定の同一性格分類法によって分類された性格タイプ毎に適応した表現でそれぞれ作成された情報の中から適応する情報を抽出し、抽出された情報を当該クライアント端末へ配信するようにしたものである。
【００１０】
ここで、通信ネットワークとは、本発明では、インターネット回線や電話回線、その他の専用回線等の通信回線を意味し、有線、無線の別は問わない。また、情報とは、本発明では、例えば利用者本人に関するコンディション記事や利用者のパートナーの性格に基づいた交際記事、利用者へ紹介する商品または役務の広告記事、利用者に対してのアドバイス記事等のことを言う。
【００１１】
また、本発明での所定の性格分析法には、エニアグラムやエゴグラムといった性格類型理論（行動分析理論）の他、血液型または誕生星座（ホロスコープ）といった所謂占いに用いられる手段を用いることが出来る。一例としてエニアグラムについて説明すると、エニアグラムとは、古代から伝わる知恵と心理学が統合されて学説へと発展した人間学であって、人間を９つの基本的な性格に分類したものであり、自分が何者であるかを探ること、すなわち「自分探し」を一つの目的とするものである。また、このエニアグラムでは、それぞれのタイプは、タイプ１、タイプ２、タイプ３・・・というふうに数字で呼ばれており、どのタイプもまったく等価であって、それぞれに長所と短所を併せ持っているものである。したがって、９つのタイプは、どのタイプがいいとか悪いとか、優れているとか劣っているということは一切無い。
【００１２】
そして、エニアグラムで言う９つのタイプとは、信念を持ち完全でありたい人、積極的で人の助けになりたい人、効率的で成功を求めて努力する人、特別な存在でありたい感受性豊かな人、知識欲旺盛で客観的に観察する人、バランスを大切に慎重に行動する人、アイディア豊かな楽観主義者、正義感あふれるタフな人、調和と平和を願うゆったりした人、を言う。なお、本発明では、９つの基本的な性格を更に男女別に分類し、男性はタイプＭ１、タイプＭ２、タイプＭ３・・・というふうに、一方、女性はタイプＷ１、タイプＷ２、タイプＷ３・・・というふうに表示している。
【００１３】
また、性格タイプ毎に適応した表現とは、性格分析法によって分類した性格を反映した表現のことを言い、例えば、エニアグラムによる分類であって、効率的で成功を求めて努力する人のように目的を遂げるタイプであれば、その長所と短所を絡めて何らかの目的意識を持つような表現としたり、また、アイディア豊かな楽観主義者のように熱中するタイプであれば、その長所と短所を絡めて熱中することを働きかけるような表現としたりすることを言う。
【００１４】
また、配信された情報を受信するクライアント端末は、本発明では、情報を画像で表示するブラウザ能付のディスプレイや、情報を音声で確認するレシーバやスピーカ等と言った出力手段を具備するパーソナルコンピュータや携帯電話（ＰＨＳを含む）、携帯情報端末（ＰＤＡ）、Ｌモードタイプ電話機、その他のモバイルなどの電子機器のことを言い、望ましくはブラウザ機能付の電子機器が良い。
【００１５】
なお、本発明での情報は、特定の日時や曜日といった所定時期に定期的に配信するようにしても良いし、利用者からのアクセス要求に応じてその都度配信するようにしても良い。
【００１６】
これにより、配信する情報の内容は変えずに、その情報の表現方法だけを性格によって変えて配信するようにしたことで、情報の内容が心に深く浸透し易くなり、効果的に効率良く情報を配信することが出来る。
【００１７】
また、本発明の第二の情報配信方法は、通信ネットワークを介してクライアント端末へ情報を配信する方法であって、クライアント端末から受信したアクセス要求に応じて、利用者の性格タイプを分類するための質問を配信し、配信された質問に対する回答を受付け、この受付けた回答に基づいて利用者の性格タイプを特定して記録し、上記記録された性格タイプに基づいて、分類された性格タイプ毎に適応した表現でそれぞれ作成された情報の中から適応する情報を抽出し、抽出された情報を当該クライアント端末へ配信するようにしたものでもある。
【００１８】
これにより、自分の性格タイプが不明の場合であっても、性格タイプ分類アンケートに答えることによりその場で性格タイプが判明し、配信する情報の内容は変えずに、その情報の表現方法だけを特定された利用者の性格に適応した表現とした情報を効果的に効率良く配信することが出来る。
【００１９】
また、本発明の第三の情報配信方法は、通信ネットワークを介してクライアント端末へ情報を配信する方法であって、クライアント端末から所定の性格分類法によって特定された性格タイプを受付けて記録し、利用者に関する第一の情報を抽出するとともに、この第一の情報に連動する内容であって、上記記録された性格タイプに基づき、所定の同一性格分類法によって分類された性格タイプ毎に適応した表現でそれぞれ作成された情報の中から適応する第二の情報を抽出し、抽出された第一の情報と第二の情報を当該クライアント端末へ配信するようにしたものでもある。
【００２０】
これにより、利用者に関する標準的な表現の第一の情報と、この第一の情報に連動する内容であって、利用者の性格に適応した表現とした第二の情報を効果的に効率良く配信することが出来る。
【００２１】
また、本発明の第四の情報配信方法は、通信ネットワークを介してクライアント端末へ情報を配信する方法であって、クライアント端末から受信したアクセス要求に応じて、利用者の性格タイプを分類するための質問を配信し、配信された質問に対する回答を受付け、この受付けた回答に基づいて利用者の性格タイプを特定して記録し、利用者に関する第一の情報を抽出するとともに、この第一の情報に連動する内容であって、上記記録された性格タイプに基づき、所定の同一性格分類法によって分類された性格タイプ毎に適応した表現でそれぞれ作成された情報の中から適応する第二の情報を抽出し、抽出された第一の情報と第二の情報を当該クライアント端末へ配信するようにしたものでもある。
【００２２】
これにより、自分の性格タイプが不明の場合であっても、性格タイプ分類アンケートに答えることによりその場で性格タイプが判明し、配信する情報の内容は変えずに、利用者に関する標準的な表現の第一の情報と、この第一の情報に連動する内容であって、利用者の性格に適応した表現とした第二の情報を効果的に効率良く配信することが出来る。
【００２３】
また、本発明の第五の情報配信方法は、上述の第三及び第四の各発明の情報配信方法に加え、第一の情報は、利用者のバイオリズムに基づいたコンディション記事としたものでもある。
【００２４】
これにより、情報の表現が利用者の性格タイプに関わらず標準的であっても、バイオリズムに基づいたコンディション記事とすることで利用者の潜在的な欲求にあった内容の情報とすることが出来、効果的に閲覧に供するようにすることが出来る。しかも、この第一の情報の記事内容により、引き続き出力される第二の情報への興味を惹きつけ、一層効果的に情報を閲覧させることが出来る。
【００２５】
また、本発明の第六の情報配信方法は、上述の第三及び第四の各発明の情報配信方法に加え、第一の情報は利用者のパートナーの性格に基づいた交際記事としたものでもある。ここで、パートナーとは、情報配信利用者の配偶者や恋人、結婚情報提供業者等で紹介される人といった異性は勿論のこと、仕事や趣味上の付き合いのある同性の場合も含めて言う。
【００２６】
これにより、やはり情報の表現が利用者の性格タイプに関わらず標準的であっても、利用者のパートナーの性格に基づいた交際記事とすることで利用者の潜在的な要望にあった内容の情報とすることが出来、効果的に閲覧に供するようにすることが出来る。しかも、やはりこの第一の情報の記事内容により、引き続き出力される第二の情報への興味を惹きつけ、一層効果的に情報を配信することが出来る。
【００２７】
また、本発明の第七の情報配信方法は、上述の第三から第六の各発明の情報配信方法に加え更に、第二の情報は、利用者へ紹介する商品または役務の広告記事としたものでもある。なお、この広告記事は、広告配信依頼者の情報提供者サーバより予め情報配信サーバへ登録しておくようにすると良い。
【００２８】
これにより、第一の情報の記事内容や、これに連動した第二の情報の表現を利用者の性格に適応した表現とすることに便乗して、あまり閲覧されない商品または役務の広告記事であっても、効果的に閲覧に供するようにすることが出来る。
【００２９】
そして、上述した本発明の第一の情報配信方法は、以下に記載の情報配信システムにより達成することが出来る。すなわち、本発明の第一の情報配信システムは、サーバから配信された情報を受信して出力するクライアント端末と、このクライアント端末とネットワークを介して接続され、所定の性格分類法よって分けられた利用者の性格タイプを記録する手段と、この性格タイプ毎に適応した表現の情報をそれぞれ記録する手段と、利用者の性格タイプに基づいて適応した表現の情報を抽出する手段と、抽出された情報を利用者のクライアント端末へ配信する手段を備えたサーバとからなるものである。
【００３０】
これにより、記録された利用者の性格タイプに基づいて、適応した表現の情報を効率良く配信することが出来る。しかも、予め性格タイプと共に利用者の氏名や性別、生年月日、情報配信先等を登録しておけば、定期的に情報を配信することが出来ることとなる。
【００３１】
また、上述した本発明の第二の情報配信方法は、以下に記載の情報配信システムにより達成することが出来る。すなわち、本発明の第二の情報配信システムは、サーバから配信された情報を受信して出力するクライアント端末と、このクライアント端末とネットワークを介して接続され、利用者の性格タイプを分類するための質問を記録する手段と、この質問を利用者のクライアント端末へ送信する手段と、送信された質問に対する回答を利用者のクライアント端末から受信する手段と、受信した回答に基づき利用者の性格タイプを特定する手段と、特定された利用者の性格タイプを記録する手段と、この性格タイプ毎に適応した表現の情報をそれぞれ記録する手段と、利用者の性格タイプに基づいて適応した表現の情報を抽出する手段と、抽出された情報を利用者のクライアント端末へ配信する手段を備えたサーバとからなるものでもある。
【００３２】
これにより、ネットワークを介して接続されたクライアント端末から容易に性格タイプ分類アンケートの質問に答えることですぐに性格タイプを特定することが出来るとともに、特定された利用者の性格タイプに基づいて利用者に受け入れ易い表現の情報を抽出して利用者のクライアント端末へ配信することが出来ることとなる。
【００３３】
また、上述した本発明の第三の情報配信方法は、以下に記載の情報配信システムにより達成することが出来る。すなわち、本発明の第三の情報配信システムは、サーバから配信された情報を受信して出力するクライアント端末と、このクライアント端末とネットワークを介して接続され、所定の性格分類法よって分けられた利用者の性格タイプを記録する手段と、利用者に関する第一の情報を記録する手段と、この第一の情報に連動する内容であって、所定の同一性格分類法によって分類された上記性格タイプ毎に適応した表現の第二の情報をそれぞれ記録する手段と、利用者に関する第一の情報を抽出する手段と、この第一の情報に連動し利用者の性格タイプに基づいて適応した表現の第二の情報を抽出する手段と、抽出された第一の情報と第二の情報をクライアント端末へ配信する手段を備えたサーバとからなるものでもある。
【００３４】
これにより、利用者の興味を惹く第一の情報と、この第一の情報に連動する内容であって、利用者の性格タイプに基づき適応した表現の第二の情報を共に利用者のクライアント端末へ配信することが出来、第一の情報に便乗して第二の情報を効果的に閲覧させることが出来ることとなる。
【００３５】
また、上述した本発明の第四の情報配信方法は、以下に記載の情報配信システムにより達成することが出来る。すなわち、本発明の第四の情報配信システムは、サーバから配信された情報を受信して出力するクライアント端末と、このクライアント端末とネットワークを介して接続され、利用者の性格タイプを分類するための質問を記録する手段と、この質問を利用者のクライアント端末へ送信する手段と、送信された質問に対する回答を利用者のクライアント端末から受信する手段と、受信した回答に基づき利用者の性格タイプを特定する手段と、特定された利用者の性格タイプを記録する手段と、利用者に関する第一の情報を記録する手段と、この第一の情報に連動する内容であって、所定の同一性格分類法によって分類された上記性格タイプ毎に適応した表現の第二の情報をそれぞれ記録する手段と、利用者に関する第一の情報を抽出する手段と、この第一の情報に連動し利用者の性格タイプに基づいて適応した表現の第二の情報を抽出する手段と、抽出された第一の情報と第二の情報をクライアント端末へ配信する手段を備えたサーバとからなるものでもある。
【００３６】
これにより、ネットワークを介して接続されたクライアント端末から容易に性格タイプ分類アンケートの質問に答えることですぐに性格タイプを特定することが出来るとともに、利用者の興味を惹く第一の情報と、この第一の情報に連動する内容であって、特定された利用者の性格タイプに基づき適応した表現の第二の情報を抽出して共に利用者のクライアント端末へ配信することが出来、第一の情報に便乗して第二の情報を効果的に閲覧させることが出来ることとなる。
【００３７】
また、上述した本発明の第一の情報配信システムは、以下に記載の装置（サーバ）を有する。すなわち、本発明の第一の装置は、クライアント端末とネットワークを介して接続され、所定の性格分類法よって分けられた利用者の性格タイプを記録する性格タイプ管理部と、この性格タイプ毎に適応した表現の情報をそれぞれ記録する情報管理部と、利用者の性格タイプに基づいて適応した表現の情報を抽出する情報抽出部と、抽出された情報を利用者のクライアント端末へ配信する情報通信部を備えるようにしたものである。
【００３８】
また、上述した本発明の第二の情報配信システムは、以下に記載の装置（サーバ）を有する。すなわち、本発明の第二の装置は、クライアント端末とネットワークを介して接続され、所定の性格分類法よって分けられた利用者の性格タイプを記録する性格タイプ管理部と、利用者に関する第一の情報を記録する第一情報管理部と、この第一の情報に連動する内容であって、所定の同一性格分類法によって分類された上記性格タイプ毎に適応した表現の第二の情報をそれぞれ記録する第二情報管理部と、利用者に関する第一の情報を抽出する第一情報抽出部と、この第一の情報に連動し利用者の性格タイプに基づいて適応した表現の第二の情報を抽出する第二情報抽出部と、抽出された第一の情報と第二の情報をクライアント端末へ配信する情報通信部を備えるようにしたものである。
【００３９】
また、上述した本発明の第三の情報配信システムは、以下に記載の装置（サーバ）を有する。すなわち、本発明の第三の装置は、クライアント端末とネットワークを介して接続され、利用者の性格タイプを分類するための質問を記録する質問記録部と、この質問を利用者のクライアント端末へ送信する質問送信部と、送信された質問に対する回答を利用者のクライアント端末から受信する回答受信部と、受信した回答に基づき利用者の性格タイプを特定する性格タイプ判別部と、特定された利用者の性格タイプを記録する性格タイプ管理部と、この性格タイプ毎に適応した表現の各情報を記録する情報管理部と、利用者の性格タイプに基づいて適応した表現の情報を抽出する情報抽出部と、抽出された情報を利用者のクライアント端末へ配信する情報通信部を備えるようにしたものである。
【００４０】
また、上述した本発明の第四の情報配信システムは、以下に記載の装置（サーバ）を有する。すなわち、本発明の第四の装置は、クライアント端末とネットワークを介して接続され、利用者の性格タイプを分類するための質問を記録する質問記録部と、この質問を利用者のクライアント端末へ送信する質問送信部と、送信された質問に対する回答を利用者のクライアント端末から受信する回答受信部と、受信した回答に基づき利用者の性格タイプを特定する性格タイプ判別部と、特定された利用者の性格タイプを記録する性格タイプ管理部と、利用者に関する第一の情報を記録する第一情報管理部と、この第一の情報に連動する内容であって、所定の同一性格分類法によって分類された上記性格タイプ毎に適応した表現の第二の各情報を記録する第二情報管理部と、利用者に関する第一の情報を抽出する第一情報抽出部と、この第一の情報に連動し利用者の性格タイプに基づいて適応した表現の第二の情報を抽出する第二情報抽出部と、抽出された第一の情報と第二の情報をクライアント端末へ配信する情報通信部を備えるようにしたものである。
【００４１】
なお、上述した各サーバには何れも、記録部に情報を書き込むためのアプリケーションソフトウェアや、記録部から必要な情報を呼び出すアプリケーションソフトウェア、及びネットワークに接続するためのアプリケーションソフトウェアがそれぞれ組み込まれている。
【００４２】
【発明の実施の形態】
以下、本発明の各実施の形態について、図面に基づきそれぞれ説明する。
まず、図１は本発明の各実施の形態に係る情報配信方法を実施するためのシステムの一例を示す概略構成図である。図１に示すように、本実施の形態で用いる情報配信システム１は、配信された情報を受信して出力する複数のクライアント端末３Ａ，３Ｂ・・３ｎと、通信ネットワークとしてインターネット１０を介して各クライアント端末３Ａ，３Ｂ・・３ｎに接続された情報を配信する情報配信者サーバ２とから構成されている。
【００４３】
また、この情報配信者サーバ２へは、広告配信依頼者の情報提供サーバ４から利用者へ配信する情報が提供（登録）されている。なお、図示しないが、上述した何れの装置においても動作を制御するＣＰＵ（中央演算装置）と、制御プログラムを記憶したＲＯＭ（リードオンメモリ）とを有している。
【００４４】
また、クライアント端末３Ａ，３Ｂ・・３ｎは、インターネット接続機能を有する通常のコンピュータシステムで良く、情報配信者サーバ２から配信された情報を閲覧可能に表示するブラウザ能付のディスプレイからなる情報出力部と、予め性格タイプ等を入力し登録を行う情報入力部とが具備されている。なお、本発明では、情報出力部は情報を画像で表示するブラウザ能付のディスプレイに限らず、情報を音声で確認するレシーバやスピーカ等と言ったものであっても良い。
【００４５】
（第一の実施の形態）
そして、第一の実施の形態として、予め任意の性格分類法によって利用者の性格タイプが特定され、この性格タイプが登録されている利用者のクライアント端末へ、通信ネットワークを介して情報を電子メールにて配信するようにした場合について説明する。図２は、第一の情報配信システム１Ａの構成を簡略的に示すブロック図である。
【００４６】
図２に示すように、情報配信者サーバ２Ａには、予め任意の性格分類法により特定された各利用者の性格タイプを記録する性格タイプ管理部１３と、特定された利用者の性格タイプに基づいて適応した表現とした情報をそれぞれ記録する情報記録部１４と、性格タイプに基づいて適応した表現とした情報を抽出する情報抽出部１５と、利用者の性格タイプに基づいて抽出された情報を利用者へそれぞれ配信する情報通信部１８とが具備されている。そして、情報記録部１４に記録される情報は、情報提供者サーバ４からの情報を情報配信者サーバ２の広告情報受付部２１より受付け、各性格タイプに適応した表現となるように加工した状態で記録される。なお、各性格タイプに適応した表現となるような情報の加工は、予め具備された各性格タイプに適応した表現の各定型文中に、情報提供者サーバ４から受付けた情報のキーワードを挿入する形で行うようにする。しかし、これには限定されず、予め各性格タイプに適応した表現で作成された情報を情報提供者サーバ４から受付け、情報配信者サーバ２Ａの情報記録部１４に記録するようにしても良い。
【００４７】
また、情報記録部１４には、利用者へ紹介するためのメッセージ的な情報の一部とともに、情報を提供する情報主（情報提供者）のＷｅｂページにリンクが張られジャンプする接続情報（例えば、ＵＲＬ：Ｕｎｉｆｏｒｍ  Ｒｅｓｏｕｒｃｅ  Ｌｏｃａｔｏｒ）が記録されている。したがって、各利用者のクライアント端末３Ａ，３Ｂ・・３ｎには、情報の見出しとなるメッセージ的な情報の一部とともに、接続情報（ＵＲＬ）もしくはバナー広告が表示され、さらに詳しい内容を知りたければ、接続情報（ＵＲＬ）もしくはバナー広告を指定する利用者からの要求に応じて情報提供先と接続し、その情報の全てを閲覧可能に表示することができるようになっている。なお、予め情報の全てを情報記録部１４に記録するようにしても良い。
【００４８】
また、情報配信者サーバ２Ａには、利用者が未登録ユーザである場合に、登録ユーザとなることを受け付ける登録受付部（図示せず）や、受付けた情報配信先である利用者の各クライアント端末３Ａ，３Ｂ・・３ｎのメールアドレスを記録する配信先記録部（図示せず）が設けられている。そして、この配信先記録部に記録されたクライアント端末３Ａ，３Ｂ・・３ｎのメールアドレスは、情報紹介用のメールを作成する時に、メールフォーマット上の送信者ボックスへ自動的に入力されるようになっている。
【００４９】
さらに、情報配信者サーバ２Ａには、ウェッブ（ＷＷＷ：Ｗｏｒｌｄ−Ｗｉｄｅ  Ｗｅｂ）に接続するためのアプリケーションソフトウェアや、ネットワークを介して接続されたクライアント端末３Ａ，３Ｂ・・３ｎへ配信する必要な情報を、情報記録部１４から呼び出す（抽出する）ためのアプリケーションソフトウェアが組み込まれている。
【００５０】
ここで、情報配信者サーバ２Ａの配信先記録部への情報配信先メールアドレスの登録は、利用者のクライアント端末に表示される、例えば図３に示すような情報配信先登録画面３０から行うことが出来る。図３に示す情報配信先登録画面３０には、利用者の氏名を入力する氏名入力ボックス３１と、生年月日を生年、生月、生日にそれぞれ分けて入力する生年入力ボックス３２Ａ、生月入力ボックス３２Ｂ、生日入力ボックス３２Ｃと、性別を入力（選択）する性別選択ボックス３３Ａ，３３Ｂと、性格タイプを入力（選択）するプルダウンメニュー式の性格タイプ入力（選択）ボックス３４と、情報配信先のメールアドレスを入力する情報配信先入力ボックス３５が設けられるとともに、これら入力データを配信先記録部へ記録することを指示する登録ボタン３６が設けられている。なお、利用者の性格タイプに応じた情報を配信するだけの場合には、上記項目の内少なくとも性格タイプと情報配信先のメールアドレスが判れば良いので、その他の項目は必ずしも要するものではないが、後述するコンディション記事情報や交際記事情報を配信する場合に必要となるので、予めここで例示して説明しておく。
【００５１】
以上のような構成の情報配信システム１Ａの基でクライアント端末３Ａ，３Ｂ・・３ｎは、利用者の性格タイプに応じて、例えば図４（ａ）や（ｂ）に示すような情報を含んだ電子メールを受け取る。図４（ａ）に示す電子メール４０Ａは、楽天的な性格タイプの利用者へ配信される情報例であり、その性格を考慮して、楽しくなるような情報をストレートに伝えるプラス思考的な表現としたメッセージ部４２Ａと、クリックすればメッセージ部４２Ａで紹介した情報の詳細が閲覧可能となる画面（サイト）へジャンプする仕組みになっている接続情報（ＵＲＬ）部４３Ａからなる情報部４１Ａが含まれている。
【００５２】
一方、図４（ｂ）に示す電子メール４０Ｂは、慎重な性格タイプの利用者へ配信される情報例であり、その性格を考慮して、安心するような情報を助言的に伝える表現としたメッセージ部４２Ｂと、クリックすればメッセージ部４２Ｂで紹介した情報の詳細が閲覧可能となる画面（サイト）へジャンプする仕組みになっている接続情報（ＵＲＬ）部４３Ｂからなる情報部４１Ｂが含まれている。なお、図４に示される情報はあくまで一例であり、利用者の各性格タイプに応じてその表現は当然変化し、性格タイプの数だけ情報は設けられている。
【００５３】
このようにして、それぞれの利用者の性格に適応した表現の情報が、予め登録された利用者のクライアント端末へ配信される。そして、この情報を受け取った利用者は、情報が受け入れ易い形で表現されていることから身近なものと感じ、好奇心を持ってその情報を閲覧することとなる。したがって、情報はより効果的に配信されることとなる。
【００５４】
次に、以上のような構成の情報配信システム１Ａにおける動作の一例を説明する。図５は、情報配信者サーバ２Ａ側での流れを示すフローチャート図である。図５に示すように、情報配信システム１Ａを構成する情報配信者サーバ２Ａ側では、電源スイッチを入れることによりスタートさせ（Ｓ１）、情報配信者サーバ２Ａを起動させる（Ｓ２）と共に、具備された通信用ブラウザを起動させ（Ｓ３）、通信ネットワークに接続させる（Ｓ４）。次いで、初めて利用しようとする場合もしくは性格タイプや情報配信先のメールアドレス未登録の場合は、利用者からの要求に応じて利用者登録画面を出力する（Ｓ５）。この時の利用者登録画面としては、先に説明した情報配信先登録画面３０をそのまま用いることが出来る（図３参照）。
【００５５】
そして、利用者登録画面が出力されると、次に性格タイプの入力が求められる（Ｓ６）。その結果、性格タイプの入力がされると（Ｙ）、入力された性格タイプは情報配信者サーバ２Ａの配信先記録部へ登録される（Ｓ７）。その後、予め決められた所定の日時に定期的にもしくは利用者からの要求に応じて、利用者の性格タイプに適応する情報を抽出し（Ｓ８）、各利用者のクライアント端末３Ａ，３Ｂ・・３ｎへ配信する（Ｓ９）。一方、しかしながら、性格タイプの入力がされないと（Ｎ）、受付エラーとなって終了する（Ｓ１０）。なお、予め性格タイプや情報配信先のメールアドレスが登録されていると、予め決められた所定の日時に定期的に利用者の性格タイプに適応する情報を抽出し（Ｓ８）、各利用者のクライアント端末３Ａ，３Ｂ・・３ｎへ配信することとなる（Ｓ９）。
【００５６】
これにより、利用者の性格に適応した心に深く浸透し易い表現の情報を、効果的に効率良く情報を配信することが出来ることとなる。
【００５７】
（第二の実施の形態）
次に、第二の実施の形態として、予め性格分類法によって利用者の性格タイプが特定され、この性格タイプが登録されている利用者のクライアント端末へ、通信ネットワークを介して利用者に関する第一の情報と、この第一の情報に連動する内容であって、所定の同一性格分類法によって分類された上記性格タイプ毎に適応した表現の第二の情報を電子メールにて配信するようにした場合について説明する。図６は、第二の情報配信システム１Ｂの構成の一例を簡略的に示すブロック図である。なお、本発明の理解を容易にするために、上記第一の実施の形態と同様の構成部分については同一の符号を付与することとし、その場合、説明も省略することとした。以下、後述する実施の形態においても同様とする。
【００５８】
図６に示すように、本実施の形態における情報配信者サーバ２Ｂには、動作を制御するＣＰＵ（中央演算装置）と、制御プログラムを記憶したＲＯＭ（リードオンメモリ）は勿論のこと、予め性格分類法により特定された各利用者の性格タイプを記録する性格タイプ管理部１３と、各利用者に関する第一の情報をそれぞれ記録する第一情報記録部１４Ａと、この第一の情報を各利用者に基づいて抽出する第一情報抽出部１５Ａと、この第一の情報に連動する内容であって、所定の同一性格分類法によって分類された上記性格タイプ毎に適応した表現の第二の情報をそれぞれ記録する第二情報記録部１４Ｂと、この第一の情報に連動し利用者の性格タイプに基づいて適応した表現の第二の情報を抽出する第二情報抽出部１５Ｂと、利用者の性格タイプに基づいて抽出された情報を利用者へそれぞれ配信する情報通信部１８とが具備されている。
【００５９】
また、情報配信者サーバ２Ｂにも勿論、利用者が未登録ユーザである場合に、登録ユーザとなることを受け付ける登録受付部（図示せず）や、受付けた情報配信先である利用者の各クライアント端末３Ａ，３Ｂ・・３ｎのメールアドレスを記録する配信先記録部（図示せず）が設けられている。さらに、情報配信者サーバ２Ｃには、利用者の各クライアント端末３Ａ，３Ｂ・・３ｎへそれぞれ配信する利用者に関する第一の情報を抽出するとともに、この第一の情報に連動する内容であって、記録された利用者の性格タイプに基づき分類された性格タイプ毎に適応した表現でそれぞれ作成された情報の中から適応する第二の情報を抽出するアプリケーションソフトウェアが組み込まれている。
【００６０】
ここで、各利用者に関する第一の情報としては、例えば利用者のバイオリズムに基づいたコンディション記事や、利用者のパートナーの性格に基づいた交際記事といったものがある。一方、第二の情報としては、例えば利用者へ紹介する商品または役務の広告記事といったものがある。そして、本実施の形態では、第二の情報としての広告記事だけを、広告配信依頼者の情報提供者サーバ４より受付け、上記第一の情報関連し、各性格タイプに適応した表現となるように加工した状態で、報配信者サーバ２Ｂの第二情報記録部１４Ｂへ登録しておくようにすると良い。
【００６１】
以上のような構成の情報配信システム１Ｂの基でクライアント端末３Ａ，３Ｂ・・３ｎは、利用者の性格タイプに応じて、例えば図７や図８に示すような情報を含んだ画面の電子メールを受け取る。図７に示すコンディション記事連動情報画面５０は、楽天的な性格タイプの利用者へ配信されるコンディション記事連動広告情報例であり、利用者に関する情報として、例えばバイオリズムから利用者のコンディション状況を示すコンディション記事部５１と、この利用者の性格を考慮した表現のメッセージ式広告記事部５３、及びクリックすればメッセージ式広告記事部５３で紹介した情報の詳細が閲覧可能となる画面（サイト）へジャンプする仕組みになっている接続情報（ＵＲＬ）部５４からなる情報部５２が含まれている。また、コンディション記事連動情報画面５０には、情報を配信する利用者の氏名を表示する氏名表示部５５も含まれている。
【００６２】
そして、この氏名表示部５５に表示される氏名は、先に説明した情報配信先登録画面３０の氏名入力ボックス３１から氏名を入力することで（図３参照）、報配信者サーバ２Ｂの配信先記録部に記録された利用者データから氏名を抽出して表示することが出来る。また、コンディション記事部５１は、同じく情報配信先登録画面３０の生年月日入力ボックス３２Ａ，３２Ｂ，３２Ｃに入力することで（図３参照）、報配信者サーバ２Ｂの配信先記録部に記録された利用者データから生年月日を抽出してバイオリズムを求め、このバイオリズムに基づいてコンディション記事を作成し、表示することが出来る。
【００６３】
また、図８に示すパートナー交際記事連動情報画面６０は、同じく楽天的な性格タイプの利用者へ配信されるパートナー交際記事連動広告情報例であり、本実施の形態では、利用者に関する情報として、結婚情報提供業者が利用者へ紹介するパートナーのプロフィールやこのパートナーとの交際する際のアドバイスを示す交際記事部６１と、この利用者の性格を考慮した表現のメッセージ式広告記事部６３、及びクリックすればメッセージ式広告記事部６３で紹介した情報の詳細が閲覧可能となる画面（サイト）へジャンプする仕組みになっている接続情報（ＵＲＬ）部６４からなる情報部６２が含まれている。そして、パートナー交際記事連動情報画面６０にも、情報を配信する利用者の氏名を表示する氏名表示部６５が含まれている。なお、この氏名表示部６５に表示される氏名は、コンディション記事連動情報画面５０の場合と同じく、先に説明した情報配信先登録画面３０の氏名入力ボックス３１から氏名を入力することで（図３参照）、報配信者サーバ２Ｂの配信先記録部に記録された利用者データから氏名を抽出して表示することが出来る。
【００６４】
次に、以上のような構成の情報配信システム１Ｂにおける動作の一例を説明する。図９は、情報配信者サーバ２Ｂ側での流れを示すフローチャート図である。図９に示すように、情報配信システム１Ｂを構成するサーバ２Ｂ側では、電源スイッチを入れることによりスタートさせ（Ｓ２１）、情報配信者サーバ２Ｂを起動させる（Ｓ２２）と共に、具備された通信用ブラウザを起動させ（Ｓ２３）、通信ネットワークに接続させる（Ｓ２４）。次いで、初めて利用しようとする場合もしくは性格タイプや情報配信先のメールアドレス未登録の場合は、利用者からの要求に応じて利用者登録画面を出力する（Ｓ２５）。この時の利用者登録画面としては、上述した情報配信システム１Ａと同じく、先に説明した情報配信先登録画面３０をそのまま用いることが出来る（図３参照）。
【００６５】
そして、利用者登録画面が出力されると、次に性格タイプの入力が求められる（Ｓ２６）。その結果、性格タイプの入力がされると（Ｙ）、入力された性格タイプは情報配信者サーバ２Ｂの配信先記録部へ登録される（Ｓ２７）。その後、予め決められた所定の日時に定期的にもしくは利用者からの要求に応じて、利用者に関する第一の情報を抽出するとともに（Ｓ２８）、この第一の情報に連動する内容であって、上記記録された性格タイプに基づき、所定の同一性格分類法によって分類された性格タイプ毎に適応した表現でそれぞれ作成された情報の中から適応する第二の情報を抽出し（Ｓ２９）、各利用者のクライアント端末３Ａ，３Ｂ・・３ｎへ配信する（Ｓ３０）。一方、しかしながら、性格タイプの入力がされないと（Ｎ）、受付エラーとなって終了する（Ｓ３１）。なお、この場合も予め性格タイプや情報配信先のメールアドレスが登録されていると、予め決められた所定の日時に定期的に第一の情報を抽出するとともに（Ｓ２８）、第二の情報を抽出し（Ｓ２９）、各利用者のクライアント端末３Ａ，３Ｂ・・３ｎへ配信することとなる（Ｓ３０）。
【００６６】
このようにして、利用者に関する第一の情報と、この第一の情報の情報に関連し、それぞれの利用者の性格に適応した表現の第二の情報が、予め登録された利用者のクライアント端末へ配信される。そして、この情報を受け取った利用者は、利用者に関する第一の情報によって情報へ興味が惹きつけられ、引き続き紹介される第二の情報が受け入れ易い形で表現されていることから、例え第二の情報が商品または役務の広告記事であっても身近な情報と感じ、好奇心を持ってその情報を閲覧することとなる。したがって、情報はより効果的に配信されることとなる。
【００６７】
（第三の実施の形態）
次に、第三の実施の形態として、利用者の性格タイプが不明なためその場でエニアグラムを用いた分類法によって性格タイプを特定し、この利用者のクライアント端末へ、通信ネットワークを介して情報を電子メールにて配信するようにした場合について説明する。図１０は、第三の情報配信システム１Ｃの構成の一例を簡略的に示すブロック図である。
【００６８】
図１０に示すように、本実施の形態における情報配信者サーバ２Ｃには、動作を制御するＣＰＵ（中央演算装置）と、制御プログラムを記憶したＲＯＭ（リードオンメモリ）は勿論のこと、利用者の性格タイプを分類するための質問を記録する質問記録部１６と、この質問を利用者のクライアント端末へ送信する質問送信部１９と、送信された質問に対する回答を利用者のクライアント端末から受信する回答受信部２０と、受信した回答に基づき利用者の性格タイプを特定する性格タイプ判別部１７と、特定された利用者の性格タイプを記録する性格タイプ管理部１３と、この特定された利用者の性格タイプに基づいて適応した表現の各情報をそれぞれ記録する情報記録部１４と、利用者の性格タイプに基づいて適応した表現とした情報を抽出する情報抽出部１５と、利用者の性格タイプに基づいて抽出された情報を利用者へそれぞれ配信する情報通信部１８が具備されている。
【００６９】
また、情報配信者サーバ２Ｃにも勿論、利用者が未登録ユーザである場合に、登録ユーザとなることを受け付ける登録受付部（図示せず）や、受付けた情報配信先である利用者の各クライアント端末３Ａ，３Ｂ・・３ｎのメールアドレスを記録する配信先記録部（図示せず）が設けられている。さらに、情報配信者サーバ２Ｃには、クライアント端末３Ａ，３Ｂ・・３ｎから性格タイプ判定要求を受け取り、質問を出力し、回答を受け取るアプリケーションソフトウェアが組み込まれている。
【００７０】
ここで、利用者の性格タイプの特定は、利用者の要求に応じてそのクライアント端末に表示される、例えば図１１に示すようなエニアグラムによる分類法に基づいて作成された性格タイプ分類質問が出題された性格タイプ分類アンケート画面７０から行うことが出来る。図１１に示す性格タイプ分類アンケート画面７０には、「人との付き合いは大切だと思う」や「センスの良し悪しで人を判断する」等といった複数（図１１中では１０個）の性格タイプ分類質問７１・・７１と、各性格タイプ分類質問７１に応じて設けられた「はい」または「いいえ」の質問回答ボックス７２Ａ，７２Ｂがそれぞれ設けられる。また、性格タイプ分類アンケート画面７０には、これら性格タイプ分類質問７１に回答した結果、性格タイプを分類することを要求する分析ボタン７３も設けられている。
【００７１】
以上のような構成の情報配信システム１Ｃの基でクライアント端末３Ａ，３Ｂ・・３ｎは、利用者の性格タイプに応じて、既述したような例えば図４（ａ）や（ｂ）に示すような情報を含んだ画面の電子メールを受け取ることとなる。
【００７２】
次に、以上のような構成の情報配信システム１Ｃにおける動作の一例を説明する。図１２は、情報配信者サーバ２Ｃ側での流れを示すフローチャート図である。図１２に示すように、情報配信システム１Ｃを構成するサーバ２Ｃ側では、電源スイッチを入れることによりスタートさせ（Ｓ４１）、情報配信者サーバ２Ｃを起動させる（Ｓ４２）と共に、具備された通信用ブラウザを起動させ（Ｓ４３）、通信ネットワークに接続させる（Ｓ４４）。次いで、初めて利用しようとする場合もしくは性格タイプや情報配信先のメールアドレス未登録の場合は、利用者からの要求に応じて、既述したような例えば図３に示すような情報配信先登録画面３０（図３参照）を利用者登録画面として出力する（Ｓ４５）。
【００７３】
そして、利用者登録画面が出力されると、次に性格タイプの入力が求められる（Ｓ４６）。その結果、性格タイプの入力がされると（Ｙ）、入力された性格タイプは情報配信者サーバ２Ｃの配信先記録部へ登録される（Ｓ４７）。その後、予め決められた所定の日時に定期的にもしくは利用者からの要求に応じて、利用者の性格タイプに適応する情報を抽出し（Ｓ４８）、各利用者のクライアント端末３Ａ，３Ｂ・・３ｎへ配信する（Ｓ４９）。一方、しかしながら、性格タイプの入力がされないと（Ｎ）、性格タイプの判定をするか否か問われる（Ｓ５０）。
【００７４】
その結果、性格タイプの判定が求められると、引き続き利用者の性格タイプを分類するための質問を出力し（Ｓ５１）、この質問に対する回答を受付け（Ｓ５２）、さらに、性格タイプ分類アンケート画面７０にて性格タイプを分類することを要求する利用者からの指示があることを前提に利用者の性格タイプを特定する（Ｓ５３）。一方、しかしながら、性格タイプの判定が要求されないと（Ｎ）、受付エラーとなって終了する（Ｓ５４）。
【００７５】
これにより、ネットワークを介して接続されたクライアント端末から容易に性格タイプ分類アンケートの質問に答えることですぐに性格タイプを特定することが出来、特定された利用者の性格タイプに基づいて利用者に受け入れ易い表現とした情報を各利用者のクライアント端末へそれぞれ配信することが出来ることとなる。したがって、情報は簡単により効果的に配信されることとなる。
【００７６】
（第四の実施の形態）
次に、第四の本実施の形態として、利用者の性格タイプが不明なためその場でエニアグラムを用いた分類法によって性格タイプを特定するとともに、性格タイプが特定された利用者のクライアント端末へ、通信ネットワークを介して利用者に関する第一の情報と、この第一の情報に連動する内容であって、所定の同一性格分類法によって分類された上記性格タイプ毎に適応した表現の第二の情報を電子メールにて配信するようにした場合について説明する。図１３は、第四の情報配信システム１Ｄの構成の一例を簡略的に示すブロック図である。
【００７７】
図１３に示すように、本実施の形態における情報配信者サーバ２Ｄには、動作を制御するＣＰＵ（中央演算装置）と、制御プログラムを記憶したＲＯＭ（リードオンメモリ）は勿論のこと、利用者の性格タイプを分類するための質問を記録する質問記録部１６と、この質問を利用者のクライアント端末へ送信する質問送信部１９と、送信された質問に対する回答を利用者のクライアント端末から受信する回答受信部２０と、受信した回答に基づき利用者の性格タイプを特定する性格タイプ判別部１７と、特定された各利用者の性格タイプを記録する性格タイプ管理部１３と、各利用者に関する第一の情報をそれぞれ記録する第一情報記録部１４Ａと、この第一の情報を各利用者に基づいて抽出する第一情報抽出部１５Ａと、この第一の情報に連動する内容であって、所定の同一性格分類法によって分類された上記性格タイプ毎に適応した表現の第二の情報をそれぞれ記録する第二情報記録部１４Ｂと、この第一の情報に連動し利用者の性格タイプに基づいて適応した表現の第二の情報を抽出する第二情報抽出部１５Ｂと、利用者の性格タイプに基づいて抽出された情報を利用者へそれぞれ配信する情報通信部１８が具備されている。
【００７８】
また、情報配信者サーバ２Ｄにも勿論、利用者が未登録ユーザである場合に、登録ユーザとなることを受け付ける登録受付部（図示せず）や、受付けた情報配信先である利用者の各クライアント端末３Ａ，３Ｂ・・３ｎのメールアドレスを記録する配信先記録部（図示せず）が設けられている。さらに、情報配信者サーバ２Ｄには、クライアント端末３Ａ，３Ｂ・・３ｎから性格タイプ判定要求を受け取り、質問を出力し、回答を受け取るアプリケーションソフトウェアや、利用者の各クライアント端末３Ａ，３Ｂ・・３ｎへそれぞれ配信する利用者に関する第一の情報を抽出するとともに、この第一の情報に連動する内容であって、記録された利用者の性格タイプに基づき分類された性格タイプ毎に適応した表現でそれぞれ作成された情報の中から適応する第二の情報を抽出するアプリケーションソフトウェアが組み込まれている。
【００７９】
ここで、利用者の性格タイプの特定は、例えば上記第３の実施の形態にて用いた図１１に示すようなエニアグラムによる分類法に基づいて作成された性格タイプ分類質問が出題された性格タイプ分類アンケート画面７０から行うことが出来るが、図１４に示すような行動により性格タイプを分類する質問が出題された性格タイプ分類質問画面８０から行うことが出来る。
【００８０】
図１４に示す性格タイプ分類質問画面８０には、「ボールがあなたの方に向かって飛んできました。あなたはその時どうしますか？」といった性格タイプ分類質問部８１（図１２中では１個）と、「ボールをキャッチする。」や「しゃがんで避ける」等といったこの性格タイプ分類質問部８１に対する複数（図１２中では９個）の回答選択ボックス８２−１，８２−２・・・８２−９がそれぞれ設けられている。そして、さらに性格タイプ分類質問画面８０には、性別を入力（選択）する性別選択ボックス８３Ａ，８３Ｂと、これら性格タイプ分類質問８１に回答した結果、性格タイプを分類することを要求する分析ボタン８４も設けられている。
【００８１】
また、各利用者に関する第一の情報としては、例えば上記第２の実施の形態にて用いた、利用者のバイオリズムに基づいたコンディション記事や利用者のパートナーの性格に基づいた交際記事といったものがあり、第二の情報としては、同じく上記第２の実施の形態にて用いた、例えば利用者へ紹介する商品または役務の広告記事といったものがある。
【００８２】
以上のような構成の情報配信システム１Ｄの基でクライアント端末３Ａ，３Ｂ・・３ｎは、利用者の性格タイプに応じて、既述したような例えば図７や図８に示すような情報を含んだ画面の電子メールを受け取ることとなる。
【００８３】
そして、以上のような構成の情報配信システム１Ｄにおける動作の一例を説明する。図１５は、第四の情報配信者サーバ２Ｄ側での流れを示すフローチャート図である。図１５に示すように、情報配信システム１Ｄを構成するサーバ２Ｄ側では、電源スイッチを入れることによりスタートさせ（Ｓ６１）、情報配信者サーバ２Ｄを起動させる（Ｓ６２）と共に、具備された通信用ブラウザを起動させ（Ｓ６３）、通信ネットワークに接続させる（Ｓ６４）。次いで、初めて利用しようとする場合もしくは性格タイプや情報配信先のメールアドレス未登録の場合は、利用者からの要求に応じて、既述したような例えば図３に示すような情報配信先登録画面３０（図３参照）を利用者登録画面として出力する（Ｓ６５）。
【００８４】
そして、利用者登録画面が出力されると、次に性格タイプの入力が求められる（Ｓ６６）。その結果、性格タイプの入力がされると（Ｙ）、入力された性格タイプは情報配信者サーバ２Ｄの配信先記録部へ登録される（Ｓ６７）。その後、予め決められた所定の日時に定期的にもしくは利用者からの要求に応じて、利用者に関する第一の情報を抽出するとともに（Ｓ６８）、この第一の情報に連動する内容であって、上記記録された性格タイプに基づき、所定の同一性格分類法によって分類された性格タイプ毎に適応した表現でそれぞれ作成された情報の中から適応する第二の情報を抽出し（Ｓ６９）、各利用者のクライアント端末３Ａ，３Ｂ・・３ｎへ配信する（Ｓ７０）。一方、しかしながら、性格タイプの入力がされないと（Ｎ）、性格タイプの判定をするか否か問われる（Ｓ７１）。
【００８５】
その結果、性格タイプの判定が求められると、引き続き利用者の性格タイプを分類するための質問を出力し（Ｓ７２）、この質問に対する回答を受付け（Ｓ７３）、さらに、性格タイプを分類することを要求する利用者からの指示があることを前提に利用者の性格タイプを特定する（Ｓ７４）。そして、性格タイプが特定されると、上述したとおり利用者に関する第一の情報を抽出するとともに（Ｓ６８）、この第一の情報に連動する内容であって、上記記録された性格タイプに基づき、所定の同一性格分類法によって分類された性格タイプ毎に適応した表現でそれぞれ作成された情報の中から適応する第二の情報を抽出し（Ｓ６９）、各利用者のクライアント端末３Ａ，３Ｂ・・３ｎへ配信する（Ｓ７０）。一方、しかしながら、性格タイプの判定が要求されないと（Ｎ）、受付エラーとなって終了する（Ｓ７５）。
【００８６】
これにより、ネットワークを介して接続されたクライアント端末から容易に性格タイプ分類アンケートの質問に答えることですぐに性格タイプを特定することが出来、特定された利用者の性格タイプに基づいて利用者に受け入れ易い表現とした情報を各利用者のクライアント端末へそれぞれ配信することが出来ることとなる。しかも利用者は、利用者に関する第一の情報によって情報へ興味が惹きつけられ、また、第二の情報が例え商品または役務の広告記事であっても、受け入れ易い形で表現されていることから身近な情報と感じ、好奇心を持ってその情報を閲覧することとなる。したがって、情報はより一層効果的に配信されることとなる。
【００８７】
（その他の実施の形態）
また、本発明では、予め利用者が自らの性格タイプを把握している場合、予め決められた所定の日時に定期的に情報を配信するための利用者登録を行わず、例えば図１６に示すような性格タイプ選択画面９０から、利用者の要求に応じてすぐに（リアルタイムに）利用者に関する情報を配信するようにすることも出来る。この性格タイプ選択画面９０には、男性の性格タイプをＭとして表示した複数の性格タイプ選択ボタン９１（９１Ａ−１・・・９１Ａ−９）と、女性の性格タイプをＷとして表示した複数の性格タイプ選択ボタン９１（９１Ｂ−１・・・９１Ｂ−９）が設けられており、利用者が何れかの性格タイプ選択ボタン９６を選択することで、選択した性格タイプに基づいて利用者に受け入れ易い表現とした情報を折り返し配信するようになっている。
【００８８】
さらに、図示しないが本発明では、図１６に示すような性格タイプ選択画面９０に、図３で示したような、自らのもしくはパートナーの生年月日入力ボックスを設けるようにすれば、利用者に関するコンディション記事や利用者のパートナーの性格に基づいた交際記事を配信するようにすることも出来る。
【００８９】
【発明の効果】
以上本発明によれば、利用者の性格タイプを分類することによって配信先である利用者の性格を十分に考慮し、利用者の性格に適応した受け入れ易い形で情報を表現するようにしたので、一層効果的に情報を配信することの出来る情報配信手段といえる。
【００９０】
しかも、利用者に関するコンディション記事や利用者のパートナーの性格に基づいた交際記事を第一の情報として用いることで、第二の情報があまり閲覧されない商品または役務の広告記事であっても、この第一の情報の記事内容により第二の情報への興味を惹きつけ、効果的に閲覧に供するようにすることが出来る。
【図面の簡単な説明】
【図１】  本発明の各実施の形態に係る情報配信方法を実施するためのシステムの一例を示す概略構成図である。
【図２】  本発明の実施の形態に係る情報配信システムで用いる第一のサーバの構成を簡略的に示すブロック図である。
【図３】  本発明の実施の形態に係るクライアント端末に表示される情報配信先登録画面の一例である。
【図４】  本発明の実施の形態に係るクライアント端末に表示される（ａ）配信情報画面の一例、（ｂ）配信情報画面の他の例である。
【図５】  本発明の実施の形態に係る第一のサーバ側での流れの一例を示すフローチャート図である。
【図６】  本発明の実施の形態に係る情報配信システムで用いる第二のサーバの構成を簡略的に示すブロック図である。
【図７】  本発明の実施の形態に係るクライアント端末に表示される第一の情報であるコンディション記事画面の一例である。
【図８】  本発明の実施の形態に係るクライアント端末に表示される第一の情報であるパートナーとの交際記事画面の一例である。
【図９】  本発明の実施の形態に係る第二のサーバ側での流れの一例を示すフローチャート図である。
【図１０】本発明の実施の形態に係る情報配信システムで用いる第三のサーバの構成を簡略的に示すブロック図である。
【図１１】本発明の実施の形態に係るクライアント端末に表示される性格分類アンケート画面の一例である。
【図１２】本発明の実施の形態に係る第三のサーバ側での流れの一例を示すフローチャート図である。
【図１３】本発明の実施の形態に係る情報配信システムで用いる第四のサーバの構成を簡略的に示すブロック図である。
【図１４】本発明の実施の形態に係るクライアント端末に表示される性格分類質問画面の一例である。
【図１５】本発明の実施の形態に係る第四のサーバ側での流れの一例を示すフローチャート図である。
【図１６】本発明の実施の形態に係るクライアント端末に表示されるリアルタイム情報配信指示を行う性格タイプ選択画面の一例である。
【符号の説明】
１・・・情報配信システム、
２（２Ａ，２Ｂ，２Ｃ，２Ｄ）・・・情報配信者サーバ、
３Ａ，３Ｂ・・・３ｎ・・・クライアント端末、４・・・情報提供者サーバ、
１０・・・ネットワーク、１１・・・ＣＰＵ（中央演算装置）、
１２・・・ＲＯＭ（リードオンリメモリ）、１３・・・性格タイプ管理部、１４・・・情報管理部、１４Ａ・・・第一情報管理部、１４Ｂ・・・第二情報管理部、
１５・・・情報抽出部、１５Ａ・・・第一情報抽出部、１５Ｂ・・・第二情報抽出部、
１６・・・質問管理部、１７・・・性格タイプ判定部、１８・・・情報通信部、
１９・・・質問送信部、２０・・・回答受信部、２１・・・広告情報受付部、
２３・・・勤務実績データ、２４・・・ポイント管理データ、
３０・・・情報配信先登録画面、３１・・・氏名入力ボックス、
３２Ａ・・・生年入力ボックス、３２Ｂ・・・生月入力ボックス、
３２Ｃ・・・生日入力ボックス、３３Ａ，３３Ｂ・・・性別選択ボックス、３４・・・性格タイプ入力（選択）ボックス、
３５・・・情報配信先入力ボックス、３６・・・登録ボタン、
４０Ａ，４０Ｂ・・・配信情報画面、４１Ａ，４１Ｂ，５２，６２・・・情報部、
４２Ａ，４２Ｂ・・・メッセージ部、
４３Ａ，４３Ｂ，５４，６４・・・接続情報部、
５０・・・コンディション記事連動情報画面、５１・・・コンディション記事部、
５３，６３・・・メッセージ式広告記事部、５５，６５・・・氏名表示部、
６０・・・交際記事連動情報画面、６１・・・交際記事部、
７０・・・性格タイプ分類アンケート画面、７１・・・質問部、
７２Ａ，７２Ｂ・・・回答選択ボックス、７３・・・、性格分析ボタン、
８０・・・性格タイプ分類質問画面、８１・・・性格タイプ分類質問部、
８２−１，８２−２・・・８２−９・・・回答選択ボックス、
８３Ａ，８３Ｂ・・・性別選択ボックス、８４・・・、性格分析ボタン、
９０・・・性格タイプ選択画面、
９１（９１Ａ−１・・・９１Ｂ−９）・・・性格タイプ選択ボタン。
【図１】
0003728289.tif 000002
【図２】
0003728289.tif 000003
【図３】
0003728289.tif 000004
【図４】
0003728289.tif 000005
【図５】
0003728289.tif 000006
【図６】
0003728289.tif 000007
【図７】
0003728289.tif 000008
【図８】
0003728289.tif 000009
【図９】
0003728289.tif 000010
【図１０】
0003728289.tif 000011
【図１１】
0003728289.tif 000012
【図１２】
0003728289.tif 000013
【図１３】
0003728289.tif 000014
【図１４】
0003728289.tif 000015
【図１５】
0003728289.tif 000016
【図１６】
0003728289.tif 000017